(57)【要約】【課題】眼鏡のフレームとゴーグル等のレンズとの接触を防止して、眼鏡を装着したままでも無理なく装着でき、あるいは、眼鏡を装着しない場合であっても視界、特に左右側面の視野が広くなるゴーグル・サングラス用のレンズを提供する。【解決手段】ゴーグル・サングラス用の未切断レンズにおいて、この未切断レンズが、正面部１と、左右の側面部２、２と、正面部と顔面部との間に配位される中間部３、３とを備える。正面部１及び側面部２、２は、半径１２０〜１４０mmの球面に沿って形成される。正面部の左右方向の長さは１２０〜１５０mmであり、左右の側面部２、２間の正面視における左右方向の最大長さが１６０〜１８０mmである。【選択図】          図１
2008287138.tif 000002
【特許請求の範囲】
【請求項１】
ゴーグル・サングラス用の未切断レンズにおいて、
この未切断レンズが、顔面の正面に配位される正面部と、顔面の左右側面に配位される左右の側面部と、正面部と顔面部との間に配位される中間部とを備え、
正面部は、半径１２０〜１４０mmの球面に沿って形成されており、且つ、この球面の中心点は未切断レンズの左右方向の中央であって未切断レンズの後方に位置するものであり、正面部の正面視における左右方向の最大長さが１２０〜１５０mmであり、
側面部は、半径１２０〜１４０mmの球面に沿って形成されており、且つ、この球面の中心点は左側面部にあっては未切断レンズの右側であって正面部の後方に位置するものであり、右側面部にあっては未切断レンズの左側であって正面部の後方に位置するものであり、左右の側面部間の正面視における左右方向の最大長さが１６０〜１８０mmであり、
中間部は、正面部と側面部との間を曲面で繋ぐものであり、
正面部中央から側面部の端部までの平面視における前後方向の最大長さが、５５〜７５mmであることを特徴とするゴーグル・サングラス用の未切断レンズ。
【請求項２】
未切断レンズが合成樹脂製又はガラス製であり、中間部が半径１６〜３６mmの円筒面で形成されたものであることを特徴とする請求項１記載のゴーグル・サングラス用の未切断レンズ。
【請求項３】
請求項１又は２記載のゴーグル・サングラス用の未切断レンズの外周を、正面部、側面部及び中間部のそれぞれの少なくとも一部を残存させて、切断して形成するものであることを特徴とするゴーグル・サングラス用のレンズの製造方法。
【請求項４】
ゴーグル・サングラス用のレンズにおいて、
このレンズが、顔面の正面に配位される正面部と、顔面の左右側面に配位される左右の側面部と、正面部と顔面部との間に配位される中間部とを備え、
正面部は、半径１２０〜１４０mmの球面に沿って形成されており、且つ、この球面の中心点はレンズの左右方向の中央であってレンズの後方に位置するものであり、正面部の正面視における左右方向の最大長さが１２０〜１５０mmであり、
側面部は、半径１２０〜１４０mmの球面に沿って形成されており、且つ、この球面の中心点は左側面部にあってはレンズの右側であって正面部の後方に位置するものであり、右側面部にあってはレンズの左側であって正面部の後方に位置するものであり、左右の側面部間の正面視における左右方向の最大長さが１５５〜１８０mmであり、
中間部は、正面部と側面部との間を曲面で繋ぐものであり、
正面部中央から側面部の端部までの平面視における前後方向の最大長さが、４０〜７５mmであることを特徴とするゴーグル・サングラス用のレンズ。
【請求項５】
請求項４記載のレンズに、フレーム又はテンプルを設けたことを特徴とするゴーグル・サングラス。
【発明の詳細な説明】
【技術分野】
【０００１】
本願発明は、ゴーグル・サングラス用のレンズ及びその製造方法に関するものである。
【背景技術】
【０００２】
従来より、ゴーグル・サングラス用のレンズは、特許文献１のような一つの円筒面に沿う形状や、特許文献２のような一つの球面に沿う形状で設定されていた。ところが、一枚の略均一な球面又は円筒面のレンズは、平面視円形であるのに対して、眼鏡を装着した頭部の形状は平面視が矩形であるため、矩形の角に該当する眼鏡の蝶番部分が、レンズの内面に接触してしまうことが多くなる。
【０００３】
そこで、特許文献３に示されるように、眼鏡を装着したまま着用するゴーグルにあっても、レンズ自体は眼鏡を着用しないゴーグルと共通であり、ゴーグルのフレーム形状を眼鏡用のものに設計して、対応していたものである。この種の眼鏡装着用のゴーグルのフレームにあっては、フレームの形状を厚みの大きなものに変更することによって、眼鏡のフレームとゴーグルのレンズとの干渉を防止するものであった。そのため、ゴーグルのデザインに制約が生じてしまい、軽快でスポーティなゴーグルデザインを製作することが困難であったり、小さな眼鏡の場合では解消できても、大きな眼鏡の場合には眼鏡フレームとゴーグルレンズの干渉が解消できないといった問題が生じていた。
また、眼鏡を着用しない場合にあっても、単一の球面のみのレンズの場合には、左右の視界に限りがある。特に、ゴーグルの場合には、レンズの周囲にフレームが設けられており、しかもフレームにはクッション材が配位されて厚みの大きなものとなっているため、視界がせまくなってしまう。
【０００４】
【特許文献１】特許第２５２０５５５号公報
【特許文献２】特開平６−６７１２１号公報
【特許文献３】特開平８−１８２７０１号公報
【発明の開示】
【発明が解決しようとする課題】
【０００５】
本願発明は、眼鏡を装着したままでも無理なく装着でき、眼鏡のフレームとゴーグルのレンズとの接触を防止し易く、あるいは、眼鏡を装着しない場合であっても視界、特に左右側面の視野が広くなるゴーグル・サングラス用のレンズ、その製造方法、及び、このレンズの加工の元となる未切断レンズ、ならびにこのレンズを用いたゴーグルの提供を目的とする。
【課題を解決するための手段】
【０００６】
本願の請求項１に係る発明は、ゴーグル・サングラス用の未切断レンズにおいて、この未切断レンズが、顔面の正面に配位される正面部と、顔面の左右側面に配位される左右の側面部と、正面部と顔面部との間に配位される中間部とを備え、正面部は、半径１２０〜１４０mmの球面に沿って形成されており、且つ、この球面の中心点は未切断レンズの左右方向の中央であって未切断レンズの後方に位置するものであり、正面部の正面視における左右方向の最大長さが１２０〜１５０mmであり、側面部は、半径１２０〜１４０mmの球面に沿って形成されており、且つ、この球面の中心点は左側面部にあっては未切断レンズの右側であって正面部の後方に位置するものであり、右側面部にあっては未切断レンズの左側であって正面部の後方に位置するものであり、左右の側面部間の正面視における左右方向の最大長さが１６０〜１８０mmであり、中間部は、正面部と側面部との間を曲面で繋ぐものであり、正面部中央から側面部の端部までの平面視における前後方向の最大長さが、５５〜７５mmであることを特徴とするゴーグル・サングラス用の未切断レンズを提供する。
本願の請求項２にかかる発明は、未切断レンズが合成樹脂製又はガラス製であり、中間部が半径１６〜３６mmの円筒面で形成されたものであることを特徴とする請求項１記載のゴーグル・サングラス用の未切断レンズを提供する。
本願の請求項３にかかる発明は、請求項１又は２記載のゴーグル・サングラス用の未切断レンズの外周を、正面部、側面部及び中間部のそれぞれの少なくとも一部を残存させて、切断して形成するものであることを特徴とするゴーグル・サングラス用のレンズの製造方法を提供する。
本願の請求項４にかかる発明は、ゴーグル・サングラス用のレンズにおいて、このレンズが、顔面の正面に配位される正面部と、顔面の左右側面に配位される左右の側面部と、正面部と顔面部との間に配位される中間部とを備え、
正面部は、半径１２０〜１４０mmの球面に沿って形成されており、且つ、この球面の中心点はレンズの左右方向の中央であってレンズの後方に位置するものであり、正面部の正面視における左右方向の最大長さが１２０〜１５０mmであり、側面部は、半径１２０〜１４０mmの球面に沿って形成されており、且つ、この球面の中心点は左側面部にあってはレンズの右側であって正面部の後方に位置するものであり、右側面部にあってはレンズの左側であって正面部の後方に位置するものであり、左右の側面部間の正面視における左右方向の最大長さが１５５〜１８０mmであり、中間部は、正面部と側面部との間を曲面で繋ぐものであり、正面部中央から側面部の端部までの平面視における前後方向の最大長さが、４０〜７５mmであることを特徴とするゴーグル・サングラス用のレンズを提供する。
本願の請求項５にかかる発明は、請求項４記載のレンズに、フレーム又はテンプルを設けたことを特徴とするゴーグル・サングラスを提供する。
本願の各発明におけるゴーグル・サングラスとは、ゴーグル又はサングラスの少なくともいずれか一方を含む顔面の保護具を意味し、本願発明は自転車、オートバイ、スキー、スノーボード等のスポーツに際して着用するゴーグルやサングラスの他、防塵用のもの、医療用のもの、ファッションを主目的とするものに適用し得るものである。
【発明の効果】
【０００７】
本願の請求項１又は２の発明は、眼鏡を装着したままでも無理なく装着でき、眼鏡のフレームとゴーグルのレンズとの接触を防止し易くすることができ、あるいは、眼鏡を装着しない場合であっても視界、特に左右側面の視野が広くなるゴーグル・サングラス用のレンズを製造し得る未切断レンズを提供することができたものである。
本願の請求項３に係る発明は、上記の効果を備えたゴーグル・サングラス用のレンズを製造し得る製造方法を提供することができたものである。
本願の請求項４に係る発明は、上記の効果を備えたゴーグル・サングラス用のレンズを提供することができたものである。
本願の請求項５に係る発明は、上記の効果を備えたゴーグル・サングラスを提供することができものである。
【発明を実施するための最良の形態】
【０００８】
以下、図面に基づき本願発明の実施の形態を説明する。
図１は本願発明の実施の形態に係るゴーグル・サングラス用の未切断レンズの斜視図であり、図２の（Ａ）は同正面図、（Ｂ）は同平面図、（Ｃ）は同側面図である。図３は同未切断レンズを切断加工したレンズを取り付けたゴーグル・サングラスの斜視図であり、図４は本願発明に係るレンズと従来のレンズとを装着した場合を比較した説明図であり、（Ａ）は従来のレンズと眼鏡とが干渉した状態を示すもので、（Ｂ）は従来のレンズと眼鏡とが干渉しない状態を示したものである。
【０００９】
この実施の形態にかかる未切断レンズは、自転車、オートバイ、スキー、スノーボード等のスポーツに際して眼鏡をした顔面に着用して用いるのに適するゴーグル・サングラス用の未切断レンズであるが、前述のように、種々の用途に用いることができる。ここで、未切断レンズとは、ゴーグルに装着される前に射出形成などで形成された正面視略長方形のレンズの中間加工品であり、これに切削などを施して、ゴーグルのフレームにあう形状にカットされてゴーグルレンズが完成する。以下の説明においては、この中間部材としてのレンズを未切断レンズと言い、ゴーグルに装着される形状にまで加工されたレンズを完成レンズという。
この未切断レンズは、顔面の正面に配位される正面部１と、顔面の左右側面に配位される左右の側面部２、２と、正面部１と側面部２、２との間に配位される中間部３、３とを備えるもので、ポリカーボネート系やナイロン系等の種々の合成樹脂にて形成される他、ガラス等の他の素材で形成することもできる。またこの素材の光の透過率等は、その用途に応じて自由に設定して実施する事が出来る。
【００１０】
この正面部１は、半径１２０〜１４０mmの球面に沿う球面状の湾曲面に形成されているもので、望ましくは４カーブと呼ばれる半径１３０．７５mmの球面となっている。この半径は、大きすぎると平面に近くなり自然な像を得ることができず、小さすぎると眼鏡のフレームに干渉するおそれが生ずる。この球面の中心点ｘ１は、未切断レンズの左右方向の中央であって未切断レンズの後方に位置する。また、この例では、上下方向においても、未切断レンズの上下方向の中央に位置するが、上下方向に関しては、中央よりも上方にあってもよく、下方にあってもよい。
【００１１】
この正面部１の正面視における左右方向の最大長さａは、１２０〜１５０mm、より望ましくは１４０cmである。この長さａは、大きすぎると顔面のサイズに合致せず、小さすぎると眼鏡のフレームに干渉するおそれが生ずる。
【００１２】
この正面部１の正面視における上下方向の最大長さｂは、正面部中央８０〜１００mmで望ましくは９０mmある。この上下方向の長さｂは、通常のゴーグルと同一でよく、短すぎると、視界が狭くなり、眼鏡との干渉が生じやすく、長すぎるとゴーグルのサイズが無用に大きくなる。
【００１３】
次に側面部２は、左右対称に形成されている。各側面部２は、半径１２０〜１４０mm（望ましくは１３０cm）の球面に沿う球面状の湾曲面に形成されているもので、望ましくは４カーブと呼ばれる半径１３０．７５mmの球面となっている。この半径は、大きすぎると平面に近くなり自然な像を得ることができず、小さすぎると眼鏡のフレームに干渉するおそれが生ずる。
【００１４】
この球面の中心点ｘ２は、左の側面部２にあっては未切断レンズの右側であって正面部の後方に位置する。右の側面部２にあっては未切断レンズの左側であって正面部の後方に位置する。また中心点ｘ２の上下位置は、左右の側面部２、２共に、側面部２の下端２１と同一位置又はこれよりも下方に位置させることが望ましい。これによって、側面部２、２は、下方に向かうに従って、左右の外側に広がる形状となり、成形の際の型抜きが容易になる。
【００１５】
左右の側面部２、２間の正面視における左右方向の最大長さｃは、１６０〜１８０mmであり、より望ましくは１７０cmである。この長さｃは、大きすぎると顔面のサイズに合致せず、小さすぎると眼鏡のフレームに干渉するおそれが生ずる。
【００１６】
中間部３は、正面部１の左右両側と、左右の側面部２、２との間を曲面で繋ぐものである。この中間部３は、正面部と同じ球面であってもよいが、２次元のアールとしてもよい。この例では、中間部３が半径１６〜３６mmの円筒面で形成され、望ましくは２６cmの半径としている。
【００１７】
この未切断レンズの前後長さ（すなわち、正面部中央１１から側面部２の下端部２１までの平面視における前後方向の最大長さｄ）は、５５〜７５mmとされている。この長さは、レンズの奥行きを決定するもので、短すぎると眼鏡との干渉が生じ易くなり、また、左右方向の視界も制約が生じやすい。他方長すぎると、顔面とのバランスが悪くなる。
【００１８】
この未切断レンズは、前述のように合成樹脂やガラスで製造することができ、成形に際しては、型成形、特に射出成形にて製造し得るし、曲げ加工などの他の製造方法で製造してもよい。
【００１９】
次に、この未切断レンズは、外周を実際のフレームｆの形状に適合するように切断されて、完成レンズとなる。多くは、全体に丸味を与え、また鼻の部分に対応するように、中央の下部が上方に向けて切り込まれる。その際、正面部１、側面部２、２及び中間部３、３、のそれぞれの少なくとも一部を残存させて、切断して形成される。図１中の２点鎖線は、切断線4を示す。
【００２０】
この完成レンズは、正面部の正面視における左右方向の最大長さａには変化が生じないが、左右の側面部間の正面視における左右方向の最大長さ１５０〜１８０mmと、正面部中央から側面部の端部までの平面視における前後方向の最大長さ５０〜７５mmは、未切断レンズより小さくなる場合が多い。
【００２１】
この完成レンズには、従来のスポーツ用ゴーグルと同様、その周囲にフレームｆを設けることによって自転車、オートバイ、スキー、スノーボード等のスポーツに際して着用するゴーグルや、医療や防塵用のゴーグルが完成する。なお、この例にあっては、未切断レンズの周囲を切断して完成レンズを製作したが、完成レンズ毎に樹脂成形用の金型を作成して製造するようにしてもよい。またゴーグルの他、サングラスとして実施することもできるものであり、この場合には、サングラス用のフレームやレンズにそのままテンプルを設けて実施することができる。
【００２２】
図4は、従来の眼鏡用ゴーグルの単一の球面又は円筒面に沿うレンズＬ２と本願発明の上記の実施の形態に係るゴーグルのレンズＬ１とを模式図的に比較したものであるが、（Ａ）に示すように、本願のレンズＬ１の位置に従来のレンズＬ２を配位した場合には、従来のレンズＬ２にあっては眼鏡ｇとの干渉が生じてしまうものである。また、（Ｂ）に示すように、共に干渉が生じない位置にレンズを配位した場合、本願のレンズＬ１におけるレンズと眼鏡の距離ｍ１より、従来のレンズＬ２におけるレンズと眼鏡の距離ｍ２よりも小さくすることができるものである。よって、本願発明にあっては、ゴーグルのフレームを薄くしてもレンズと眼鏡とが干渉せず、その分、視界も広くなることが理解できる。
【図面の簡単な説明】
【００２３】
【図１】本願発明の実施の形態に係るゴーグル・サングラス用の未切断レンズの斜視図。
【図２】（Ａ）は同正面図、（Ｂ）は同平面図、（Ｃ）は同側面図。
【図３】同未切断レンズからなるレンズを取り付けたゴーグル・サングラス用の斜視図。
【図４】本願発明に係るレンズと従来のレンズとを装着した場合を比較した説明図であり、（Ａ）は従来のレンズと眼鏡とが干渉した状態を示すもので、（Ｂ）は従来のレンズと眼鏡とが干渉しない状態を示したものである。
【符号の説明】
【００２４】
１    正面部
２    側面部
３    中間部
【図１】
2008287138.tif 000003
【図２】
2008287138.tif 000004
【図３】
2008287138.tif 000005
【図４】
2008287138.tif 000006